(57)【要約】【課題】エレベーターのドアレール清掃装置において、ドアレールに効率よく給油し、かつ、清掃給油部材だけで取り除くことが困難な火山灰などの塵芥または塵芥集積物を効率よく取り除くことである。【解決手段】ドアレール清掃装置１０は、ドアレール１２と、ドアの開閉に連動してドアレール１２の上面を移動して清掃する清掃装置本体１３ａとを含む。清掃装置本体１３ａは、ドアの上端部に固定されたドアハンガー３０に取り付けられて、ドアレール１２の上面を清掃し、かつドアレール１２の上面に給油する清掃給油部材１６と、ドアハンガー３０において、ドアの移動方向と平行な方向であるドアの幅方向について清掃給油部材１６より外側に取り付けられ、ドアレール１２上を接触して移動し、塵芥または塵芥集積物６０を除去する外側除去部材であるブラシ１８とを有する。【選択図】図２
2018027839.tif 000002
【特許請求の範囲】
【請求項１】
ドアの上方に配置されたドアレールと、
前記ドアの開閉に連動して前記ドアレールの上面を移動して清掃する清掃装置本体とを備える、エレベーターのドアレール清掃装置であって、
前記清掃装置本体は、
前記ドアの上端部に固定されたドアハンガーに取り付けられて、前記ドアレールの上面を清掃し、かつ前記ドアレールの上面に給油する清掃給油部材と、
前記ドアハンガーにおいて、前記ドアの移動方向と平行な方向である前記ドアの幅方向について前記清掃給油部材より外側に取り付けられ、前記ドアレール上を接触して移動し、塵芥または塵芥集積物を除去する外側除去部材とを含む、エレベーターのドアレール清掃装置。
【請求項２】
請求項１に記載のエレベーターのドアレール清掃装置において、
前記外側除去部材はブラシである、エレベーターのドアレール清掃装置。
【請求項３】
請求項２に記載のエレベーターのドアレール清掃装置において、
前記ドアレールは、
上面に形成され、前記ドアが移動するときに、前記ブラシの下端を弾性的に押し返す傾斜面と、前記ドアの幅方向について傾斜面の外側に形成された段差面とを含み、
前記ブラシは、前記傾斜面をドア移動方向に移動するときに、前記ブラシの下端が弾性的に押し返され、前記段差面より移動方向前側に移動したときにおける復元力で前記塵芥または前記塵芥集積物を飛ばして除去する、エレベーターのドアレール清掃装置。
【請求項４】
請求項１に記載のエレベーターのドアレール清掃装置において、
前記外側除去部材は、前記ドアの幅方向について外側の端部で上面が水平方向に対し傾斜した状態で前記ドアレールの上面に接触し、前記塵芥または前記塵芥集積物を削って除去する削り除去部材である、エレベーターのドアレール清掃装置。
【請求項５】
請求項１から請求項４のいずれか１に記載のエレベーターのドアレール清掃装置において、
前記塵芥または前記塵芥集積物は火山灰である、エレベーターのドアレール清掃装置。
【発明の詳細な説明】
【技術分野】
【０００１】
本発明は、ドアの上方に配置されたドアレールと、ドアの開閉に連動してドアレールの上面を移動して清掃する清掃装置本体とを備える、エレベーターのドアレール清掃装置に関する。
【背景技術】
【０００２】
エレベーターのドアレールの上面に塵芥または塵芥集積物があると、ドアレールの上面に対し、ドアハンガーに取り付けたローラの移動が円滑に行われず、ドアの開閉が困難になるおそれがある。特許文献１、２には、エレベーターのドアハンガーに清掃部材を取り付けて、清掃部材によってドアレールの上面を清掃するドアレール清掃装置が記載されている。特許文献１に記載された構成では、清掃部材は、油が含浸されたフェルト等の清掃給油部材を含んでいる。特許文献２に記載された構成では、清掃部材は、植毛台に植毛した毛束を含んでいる。
【先行技術文献】
【特許文献】
【０００３】
【特許文献１】特開２０１３−２３７５４３号公報
【特許文献２】特開２０１４−１９５１８号公報
【発明の概要】
【発明が解決しようとする課題】
【０００４】
特許文献１に記載された構成では、ドアハンガーに取り付けた清掃部材の清掃給油部材が、ドアレールの上面を清掃し、かつドアレールの上面に給油する。しかしながら塵芥またはその塵芥集積物がドアレールの上面に付着した場合に、清掃給油部材だけによってこの塵芥または塵芥集積物を取り除くことが困難な場合がある。例えば塵芥または塵芥集積物が火山灰である場合には、放置した場合に火山灰が周囲から水分、油を短期間で取り込むので、火山灰の粘り気が強くなって固まってしまう。これにより、清掃給油部材だけで塵芥または塵芥集積物を取り除くことが困難になる。この場合、固まった塵芥または塵芥集積物は、エレベーターの点検、修理を行う作業者が手作業で道具を用いて削って除去する必要がある。このような問題は、特に周辺に火山がある地域で生じやすい。また、火山灰は乾燥状態で浮遊して、建物の中に入り込みやすく、ドアレール上に積もりやすい。
【０００５】
一方、特許文献２に記載された構成では、毛束を有する清掃部材だけでドアレールの上面を清掃しているが、この場合には、ドアレールの上面に効率よく給油できない可能性がある。
【０００６】
本発明に係るエレベーターのドアレール清掃装置の目的は、ドアレールに効率よく給油でき、かつ、清掃給油部材だけで取り除くことが困難な火山灰などの塵芥または塵芥集積物を効率よく取り除くことができる構造を提供することである。
【課題を解決するための手段】
【０００７】
本発明に係るエレベーターのドアレール清掃装置は、ドアの上方に配置されたドアレールと、前記ドアの開閉に連動して前記ドアレールの上面を移動して清掃する清掃装置本体とを備える、エレベーターのドアレール清掃装置であって、前記清掃装置本体は、前記ドアの上端部に固定されたドアハンガーに取り付けられて、前記ドアレールの上面を清掃し、かつ前記ドアレールの上面に給油する清掃給油部材と、前記ドアハンガーにおいて、前記ドアの移動方向と平行な方向である前記ドアの幅方向について前記清掃給油部材より外側に取り付けられ、前記ドアレール上を接触して移動し、塵芥または塵芥集積物を除去する外側除去部材とを含む。
【発明の効果】
【０００８】
本発明に係るエレベーターのドアレール清掃装置によれば、清掃給油部材によってドアレールに効率よく給油できる。また、ドアハンガーにおいて、ドアの幅方向について清掃給油部材より外側に外側除去部材が取り付けられる。これにより、外側除去部材が清掃給油部材より先にドアレール上の塵芥または塵芥集積物が位置する部分に接触して除去する。このため、清掃給油部材だけで取り除くことが困難な火山灰などの塵芥または塵芥集積物を効率よく取り除くことができる。
【図面の簡単な説明】
【０００９】
【図１】実施形態のドアレール清掃装置が取り付けられたエレベーターの乗場ドアの上側部分を示す図である。
【図２】図１のＡ部拡大図である。
【図３】図２のＢ−Ｂ断面図である。
【図４】図２からドアレール清掃装置の清掃装置本体を取り出して示す図である。
【図５】一部を省略して図４の右側から見た図である。
【図６】ブラシの別例を示している図５の右側半部の拡大相当図である。
【図７】ブラシの別例を示している図６に対応する図である。
【図８】実施形態の別例のドアレール清掃装置を示している図２のＣ部拡大相当図である。
【図９】別例の構成において、ドアレールのレール本体に固定された傾斜カバーを示している図８のＤ−Ｄ拡大断面図である。
【図１０】図９から傾斜カバーを取り出して示している斜視図である。
【図１１】実施形態の別例のドアレール清掃装置を示している図２の一部の拡大相当図である。
【発明を実施するための形態】
【００１０】
以下、図面を用いて本発明の実施形態を説明する。以下で説明する形状、材質及び個数は、説明のための例示であって、ドアレール清掃装置またはエレベーターの仕様に応じて適宜変更することができる。以下において複数の実施形態や、変形例などが含まれる場合、それらを適宜組み合わせて実施することができる。以下ではすべての図面において同等の要素には同一の符号を付して説明する。また、本文中の説明においては、必要に応じてそれ以前に述べた符号を用いるものとする。
【００１１】
図１は、実施形態のドアレール清掃装置１０が取り付けられたエレベーターの乗場ドアの上側部分を示す図である。乗場ドア５０は、中央から両側に開くように２つのドア５１，５２が移動する両開き型である。各ドア５１，５２は、上側のドアレール１２と下側の敷居（図示せず）とによって移動が案内される。各ドア５１，５２の上方にはドアレール１２が配置され、ドア５１，５２の上端部にはそれぞれドアハンガー３０，３１が固定される。ドアレール１２は、後述のドアレール清掃装置１０を形成する。また、各ドア５１，５２は、ドアハンガー３０，３１によってドアレール１２に対し吊り下げ支持される。具体的には、ドアレール１２が、昇降路の壁などの固定部５３に固定される。ドアレール１２は、乗場出入り口の上側において、その間口方向に沿って水平に配置される。後述の図３に示すように、ドアレール１２の長手方向に対し直交する平面についての断面形状は、上端部及び下端部が凸状の曲面である長円形である。
【００１２】
ドアハンガー３０，３１には、ドア５１，５２の移動方向と平行な方向である、ドア５１，５２の幅方向（図１の左右方向）の両端寄り部分に２つのローラ３２が回転可能に支持されるように取り付けられる。各ローラ３２は、ドアレール１２上を長手方向（図１の左右方向）に沿って転動する。これにより各ドア５１，５２は、幅方向に移動して乗場出入り口を開閉する。
【００１３】
固定部５３に固定された電動モータ（図示せず）の動力が駆動ベルト（図示せず）に伝達され、その駆動ベルトの動力が連結具（図示せず）を介してドアハンガー３０，３１に伝達される。２つのドア５１，５２のうち、一方（図１の左側）のドア５１に連結された連結具がドア５１の幅方向において一方側に移動するとき、他方（図１の右側）のドア５２に連結された連結具はドア５２の幅方向において他方側に移動する。これにより、各ドア５１，５２は幅方向において逆方向に移動するように駆動される。
【００１４】
ドアレール清掃装置１０は、ドアレール１２と、各ドア５１，５２に対応して２つずつ、合計４つが配置された清掃装置本体１３ａ，１３ｂ，１３ｃ，１３ｄとを備える。具体的には、各ドア５１，５２の幅方向両端部において、対応する側のローラ３２よりドア５１，５２の幅方向外側に清掃装置本体１３ａ，１３ｂ，１３ｃ，１３ｄがそれぞれ取り付けられる。そして、以下で詳しく説明するように、各清掃装置本体１３ａ，１３ｂ，１３ｃ，１３ｄは、ドア５１，５２の開閉に連動してドアレール１２の上面を移動して清掃する。以下では、清掃装置本体１３ａ，１３ｂ，１３ｃ，１３ｄを総称して清掃装置本体１３と記載する場合がある。
【００１５】
以下では、２つのドア５１，５２のうち、一方のドア５１において、ドアハンガー３０の長手方向一端部（図１の右端部）に取り付けられた清掃装置本体１３ａを基本的に説明する。
【００１６】
図２は、図１のＡ部拡大図であり、図３は、図２のＢ−Ｂ断面図である。図４は、図２からドアレール清掃装置１０の清掃装置本体１３ａを取り出して示す図である。図５は、一部を省略して図４の右側から見た図である。
【００１７】
清掃装置本体１３ａは、ハンガー固定部材１４と、清掃給油部材１６と、外側除去部材であるブラシ１８とを含んで構成される。ハンガー固定部材１４は、平板状であり、長手方向一端側（図２、図４の左側）の長手方向に離れた２つの位置に下側に開口する切欠１４ａが形成される。そして、図２に示すように、ドアハンガー３０の長手方向一端部（図２の右端部）において、厚み方向外側（図２の紙面の表側）に、切欠１４ａを通じて挿入されたボルト等の締結部材１５によって、ハンガー固定部材１４が固定される。
【００１８】
清掃給油部材１６は、ハンガー固定部材１４の長手方向他端側（図２、図４の右側）でドアハンガー３０の先端から長手方向に突出する部分に固定される。清掃給油部材１６は、油が含浸されたフェルト等の不織布、または発泡ポリウレタン等の発泡樹脂により直方体状に形成される。清掃給油部材１６は、ハンガー固定部材１４に対し、ボルト等の締結部材１７によって固定される。清掃給油部材１６がハンガー固定部材１４に固定された状態で、清掃給油部材１６において、ハンガー固定部材１４から厚み方向の内側（図２の紙面の裏側）に離れた部分の下端がドアレール１２上に位置する。清掃給油部材１６は、ドアレール１２の上面に接触した状態で、ドア５１，５２の開閉に連動してドアレール１２の上面を移動することでドアレール１２の上面を清掃し、かつドアレール１２の上面に給油する。
【００１９】
ブラシ１８は、ブラシ本体１９と、ブラシ本体１９の側面に固定された直方体状の取付部材２０とを含む。ブラシ本体１９は、植毛台１９ａの下側に突出するように植毛された毛束１９ｂを有する。毛束１９ｂは、清掃給油部材１６より高い剛性を有することが好ましい。例えば毛束１９ｂは、金属線によって形成される。取付部材２０は、ブロック状であり、ハンガー固定部材１４のうち、清掃給油部材１６より長手方向他端側（図２、図４の右側）に、ボルト等の締結部材２１によって固定される。この状態で、ブラシ本体１９は、ハンガー固定部材１４から厚み方向の内側（図４の紙面の裏側）に離れて配置され、図３、図５に示すようにブラシ本体１９の毛束１９ｂの下端がドアレール１２上に位置する。これにより、ブラシ１８は、ドアハンガー３０において、ドア５１（図１）の幅方向（図２の左右方向）について清掃給油部材１６より外側（図２の右側）に取り付けられる。そして、ブラシ１８は、ドアレール１２の上面に接触した状態で、ドア５１の開閉に連動してドアレール１２の上面を移動することで、塵芥または塵芥集積物６０を除去する。
【００２０】
上記では、図２〜図５を用いて、２つのドア５１，５２のうち、一方のドア５１に固定されたドアハンガー３０の長手方向一方側に取り付けられた清掃装置本体１３ａを基本的に説明した。一方、４つの清掃装置本体１３ａ，１３ｂ，１３ｃ，１３ｄ（図１）のうち、残りの清掃装置本体１３ｂ，１３ｃ，１３ｄも、図２〜図５に示した清掃装置本体１３ａと同様に構成できる。このとき、各ドア５１，５２に固定されたドアハンガー３０，３１の長手方向他方側（図１の左側）に取り付けた清掃装置本体１３ｂ，１３ｃは、図２〜図５の清掃装置本体１３ａとドア５１，５２の幅方向について逆向きに取り付けられる。
【００２１】
上記のドアレール清掃装置１０によれば、清掃給油部材１６によってドアレール１２の上面に効率よく給油できる。また、ドアハンガー３０，３１において、ドア５１，５２の幅方向について清掃給油部材１６より外側にブラシ１８が取り付けられる。これにより、ブラシ１８が清掃給油部材１６より先にドアレール１２上の塵芥または塵芥集積物６０（図２）が位置する部分に接触して除去する。例えば、図２に矢印αで示すように、ドアが閉鎖方向に移動して、ドアハンガー３０がドアレール１２上の火山灰の塵芥集積物６０に向かって移動する。このときに、ブラシ１８が清掃給油部材１６より先に塵芥集積物６０を、清掃給油部材１６より剛性の高いブラシ１８の毛束１９ｂで、はぎ落すことができる。そして、ブラシ１８ではぎ落した後で、清掃給油部材１６が残った塵芥集積物６０をはぎ落すことができる。このため、清掃給油部材１６だけで取り除くことが困難な火山灰などの塵芥または塵芥集積物６０を効率よく取り除くことができる。これにより、ドアレール１２上の塵芥または塵芥集積物によるドアの開閉不良を抑制できる。また、清掃給油部材１６よりブラシ１８が先に塵芥または塵芥集積物に接触することで、清掃給油部材１６の給油機能が低下することを抑制できる。
【００２２】
図６は、ブラシ１８の別例を示している図５の右側半部の拡大相当図である。図６の構成では、ブラシ１８の毛束１９ｂのうち、図４の右端部に相当する先端部で、ドアレール１２の厚み方向（図６の左右方向）について中間部に配置される１本の毛１９ｃの剛性を残りの毛１９ｄの剛性より高くしている。例えば、中間部の毛１９ｃを残りの毛１９ｄより太くするか、高剛性の材料により形成する。図６では分かりやすくするために高剛性の中間部の毛１９ｃを斜線部で示している。このように構成することにより、高剛性の毛１９ｃで塵芥または塵芥集積物をドアレール１２上から剥ぎ取って、ドアレールの厚み方向両側の残りの毛１９ｄにより、剥ぎ取った塵芥または塵芥集積物を円滑に外側に取り除くことができる。高剛性の毛は１本に限定するものではなく、ドアレールの厚み方向中間部に集合した複数本としてもよい。
【００２３】
図７は、ブラシ１８の別例を示している図６に対応する図である。図７に示すように、ブラシ１８の毛束１９ｂの先端である下端には、ドアレール１２の凸状の上面とまんべんなく接するように凹部１９ｅが形成されてもよい。これによれば、ドアレール１２の上面の多くの部分にほぼ均等にブラシ１８を接触させることができ、塵芥及び塵芥集積物の除去性能を向上できる。
【００２４】
図８は、実施形態の別例のドアレール清掃装置１０を示している図２のＣ部拡大相当図である。図９は、別例の構成において、ドアレール３３のレール本体３３ａに固定された傾斜カバー３３ｂを示している図８のＤ−Ｄ拡大断面図である。図１０は、図９から傾斜カバー３３ｂを取り出して示している斜視図である。
【００２５】
図８〜１０に示す構成では、ドアレール３３の一部の上面に傾斜面３４と、傾斜面３４に連続する段差面３５とを形成し、傾斜面３４によりブラシ１８の毛束１９ｂを弾性的に曲げて、その曲げが解消される際のブラシの復元力で塵芥または塵芥集積物を飛ばす。これについて、一方のドア５１（図１）側のドアハンガー３０（図２）の長手方向一端部に取り付けた清掃装置本体１３ａについて説明する。ドアレール３３には、ドア５１（図１）が閉鎖する直前にブラシ１８の毛束１９ｂの先端が接触する部分の上面に傾斜面３４が形成される。傾斜面３４は、ドア５１が閉鎖方向に移動する場合に、ブラシ１８の移動方向前側（図８の右側）に向かうほど上面が高くなるように水平方向に対し傾斜している。傾斜面３４は、例えばドアレール３３を形成するレール本体３３ａの上面に傾斜カバー３３ｂを固定することにより形成される。傾斜面３４は、直線状に傾斜するものに限定せず、曲面状に傾斜してもよい。
【００２６】
図８〜図１０に示す傾斜カバー３３ｂは、レール本体３３ａとともにドアレール３３を形成するものであり、鉄等の金属または樹脂によって、断面がＵ字形の鞍状に形成される。レール本体３３ａの構成は、図１〜図３に示したドアレール１２の構成と同様である。傾斜カバー３３ｂは、内側面がレール本体３３ａの上端部の外面に密接する形状である。また、傾斜カバー３３ｂの上端縁３３ｃは、長手方向一方側（図８、図１０の右側）に向かうほど上端が高くなるように傾斜し、その上端縁と横方向両側の２つの平面状の側面３３ｄとが滑らかな曲面で連続している。これにより、傾斜カバー３３ｂの上端部に傾斜面３４が形成される。傾斜面３４は、後述のように、ドア５１（図１）が移動するときにブラシ１８の下端を弾性的に押し返す。傾斜カバー３３ｂは、各側面３３ｄに形成された孔３３ｅにねじ等の締結部材３６が貫通され、その締結部材３６がレール本体３３ａの外面のねじ孔（図示せず）に結合されることで、傾斜カバーがレール本体に固定される。また、傾斜カバー３３ｂの長手方向一端面（図８、図１０の右端面）によって、ドアレール３３には、傾斜面３４と連続する鉛直方向の段差面３５が形成される。段差面３５は、ドアの幅方向について傾斜面３４の外側に形成される。
【００２７】
ドア５１が閉鎖方向（図８の矢印β方向）に移動するときに、ドア５１の閉鎖直前において、ブラシ１８が傾斜カバー３３ｂ上を摺動する。このとき、図８に示すように、傾斜カバー３３ｂの傾斜面３４の上端が高い側に近づくほどブラシ１８の毛束１９ｂは移動方向の後側に弾性的に押し返されて曲げられる。そして、ブラシ１８の毛束１９ｂの移動方向前側端部（図８の右端部）が段差面３５より移動方向前側に移動したとき、すなわちはみ出たときに、その曲げが解消される。その際にブラシ１８の毛束１９ｂの移動方向前側端部が勢いよく元の形状に復元する。図８ではブラシの移動方向前側端部が復元することを、前側に撓むように誇張して示している。そして、ブラシ１８は、そのときにおける移動方向前側端部の復元力で塵芥または塵芥集積物を飛ばして除去する。これにより、ブラシ１８が移動方向前側端部で塵芥または塵芥集積物を押し出している場合に、傾斜面３４及び段差面３５でその塵芥または塵芥集積物を飛ばして除去できる。その他の構成及び作用は、図１〜図５の構成と同様である。
【００２８】
なお、図８〜図１０の構成は、ドアレールにおいて、２つのドア５１，５２（図１）のうち、他方のドア５２に固定されたドアハンガー３１のドア閉鎖方向前側（図１の左側）に取り付けられた清掃装置本体１３ｃのブラシが接触する部分にも適用できる。また、図８〜図１０の構成は、ドアレールにおいて、乗場ドアが開放するときのドアハンガー３０，３１の移動方向前側に取り付けられた清掃装置本体１３ｂ，１３ｄのブラシが接触する部分にも適用できる。このとき、ドアレールにおいて、各ドアが完全に開く直前に、ドアの移動方向前側に取り付けられた清掃装置本体１３ｂ，１３ｄのブラシが接触する部分に、傾斜面及び段差面が形成される。
【００２９】
図１１は、実施形態の別例のドアレール清掃装置１０を示している図２の一部の拡大相当図である。図１１の構成では、図１〜図５に示した構成において、ハンガー固定部材１４に、ブラシ１８（図２）の代わりに、外側除去部材として削り除去部材４０が固定される。具体的には、ドアハンガー３０において、ドアの幅方向（図１１の左右方向）について清掃給油部材１６より外側（図１１の右側）にブロック状の第２取付部材４１が締結部材２１により固定される。第２取付部材４１の下側面は、ドアの閉鎖方向前側（図１１の右側）に向かって下側に傾斜した傾斜面である。そして、第２取付部材４１の下側面に締結部材（図示せず）により外側除去部材としての削り除去部材４０が固定される。
【００３０】
削り除去部材４０は、鉄等の金属または樹脂により形成された平板状であり、第２取付部材４１の下側面の傾斜に沿って水平方向に対し傾斜した状態で、下端がドアレール１２の上面に接触する。図１１では分かりやすくするために削り除去部材４０を斜線部で示している。これにより、削り除去部材４０は、ドアの幅方向について外側の端部（図１１の右端部）で上面が水平方向に対し傾斜した状態で下端がドアレール１２の上面に接触して、塵芥または塵芥集積物６０を削って除去する。
【００３１】
また、削り除去部材４０は、図１１に示すように、ドアの閉鎖方向前端部（図１１の右端部）で鋭角に尖った形状とすることにより下端をドアレール１２の上面に面接触させている。削り除去部材４０は、通常の平板を傾斜させ、下端がドアレール１２に線接触する構成としてもよい。削り除去部材４０は金属板として、第２取付部材の下側面に溶接等により固定したものでもよい。このような削り除去部材４０を用いる場合でも、上記の各例と同様に、清掃給油部材１６だけで取り除くことが困難な火山灰などの塵芥または塵芥集積物６０を効率よく取り除くことができる。その他の構成及び作用は、図１〜図５に示した構成と同様である。
【００３２】
図１１の構成において、削り除去部材は、板状でなく、断面が直角三角形等のブロック状とし、ドアの幅方向について外側の端部で上面が水平方向に対し傾斜した状態でドアレール１２の上面に接触して、塵芥または塵芥集積物を削って除去する構成としてもよい。
【００３３】
上記の各例では、乗場のドア開閉機構における清掃装置について説明したが、乗りかごのドア開閉機構についても同様の構成を採用することができる。また、上記では、両開き型のドア開閉機構における清掃装置について説明したが、片開き型のドア開閉機構についても同様の構成を採用することができる。また、１枚のみ、または３枚以上のドアを有するドア開閉機構についても同様の構成を採用できる。またドアレールの長手方向に対し直交する平面についての断面形状は長円形に限定するものではなく、台形、矩形等としてもよい。
【符号の説明】
【００３４】
１０  ドアレール清掃装置、１２  ドアレール、１３，１３ａ，１３ｂ，１３ｃ，１３ｄ  清掃装置本体、１４  ハンガー固定部材、１４ａ  切欠、１５  締結部材、１６  清掃給油部材、１７  締結部材、１８  ブラシ、１９  ブラシ本体、１９ａ  植毛台、１９ｂ  毛束、１９ｃ，１９ｄ  毛、１９ｅ  凹部、２０  取付部材、２１  締結部材、３０，３１  ドアハンガー、３２  ローラ、３３  ドアレール、３３ａ  レール本体、３３ｂ  傾斜カバー、３３ｃ  上端縁、３３ｄ  側面、３３ｅ  孔、３４  傾斜面、３５  段差面、３６  締結部材、４０  削り除去部材、４１  第２取付部材、５０  乗場ドア、５１，５２  ドア、５３  固定部、６０  塵芥集積物。
【図１】
2018027839.tif 000003
【図２】
2018027839.tif 000004
【図３】
2018027839.tif 000005
【図４】
2018027839.tif 000006
【図５】
2018027839.tif 000007
【図６】
2018027839.tif 000008
【図７】
2018027839.tif 000009
【図８】
2018027839.tif 000010
【図９】
2018027839.tif 000011
【図１０】
2018027839.tif 000012
【図１１】
2018027839.tif 000013